(57)【要約】【課題】  乳幼児の背骨の発育を考慮した育児器具に載置される座席マットを提供する。【解決手段】  育児器具に載置される座席マット１０は、上端部２１の中央部から下方向に延在する、クッション性の低い背骨保持部２２と、背骨保持部２２の左右方向および下方向の端部に隣接して設けられ、背骨保持部２２よりもクッション性を有するサポート部２３とを含む。【選択図】      図１
2006020970.tif 000002
【特許請求の範囲】
【請求項１】
上下および左右に延在する、育児器具に載置される座席マットであって、
上端部の中央部から下方向に延在する、クッション性の低い背骨保持部と、
前記背骨保持部の左右方向および下方向の端部に隣接して設けられ、前記背骨保持部よりもクッション性を有するサポート部とを含む、育児器具に載置される座席マット。
【請求項２】
上端部に枕部を接続された、請求項１に記載の育児器具に載置される座席マット。
【請求項３】
前記サポート部は、該サポート部の表裏面を接続して貫通する、複数の貫通穴を有する、請求項１または２に記載の育児器具に載置される座席マット。
【請求項４】
前記背骨保持部は、メッシュで形成された、請求項１から３のいずれかに記載の育児器具に載置される座席マット。
【請求項５】
上下および左右に延在する、育児器具に載置される座席マットであって、
上端部の中央部から下方向の所定の位置までが切り欠かれており、前記切り欠かれた部分の左右方向および下方向の所定の位置に隣接して、クッション性を有するサポート部が設けられている、育児器具に載置される座席マット。
【発明の詳細な説明】
【技術分野】
【０００１】
この発明は育児器具に載置される座席マットに関し、特に、背骨の成長を考慮した育児器具に載置される座席マットに関する。
【背景技術】
【０００２】
背骨を考慮したマットが、たとえば登録実用新案第３０５７７１１号公報（特許文献１）に記載されている。
【０００３】
特許文献１に開示されたマットにおいては、肩幅で頭部から膝までの細長な扁平袋に、同形の薄板と軟材のマットを入れ固定する。扁平袋の頭部側に、頭部が横向きにならないよう、仰向きになるよう安定する、枕を取付ける。扁平袋内のマットの長手両側に、肩、腰に入り込む程度の硬質の芯材に軟材を巻き付けた円筒形状の筒材を挿入して固定している。
【特許文献１】登録実用新案第３０５７７１１号公報（段落番号０００４等）
【発明の開示】
【発明が解決しようとする課題】
【０００４】
従来の、背筋を考慮したマットは、上記のように構成されていた。マット本体は軟材で構成され、その側部に、内部が硬質で外部に軟材を巻き付けた円筒状の筒体が設けられていた。このようなマットを乳幼児のチャイルドシートに使用される育児器具に載置される座席マットとして利用すると、次のような問題が発生する。
【０００５】
乳幼児が成長するときには、おすわりができるようになる、いわゆる、腰が座るまで（生後４ヶ月程度まで）は、背骨のいわゆる「Ｓ字カーブ」が形成されていない。したがって、特に背筋があたる部分については、マットにある程度の硬さがないと、背骨に悪影響がでるという問題があった。
【０００６】
この発明は、上記のような問題点に鑑みてなされたもので、乳幼児の背骨の発育を考慮した育児器具に載置される座席マットを提供することを目的とする。
【課題を解決するための手段】
【０００７】
この発明にかかる、上下および左右に延在する、育児器具に載置される育児器具に載置される座席マットは、上端部の中央部から下方向に延在する、クッション性の低い背骨保持部と、背骨保持部の左右方向および下方向の端部に隣接して設けられ、背骨保持部よりもクッション性を有するサポート部とを含む。
【０００８】
育児器具に載置される育児器具に載置される座席マットの、上端部の中央部から下方向の、乳幼児の背筋があたる部分については、クッション性が低く、その周囲がクッション性を有するサポート部で囲われているため、背骨の発育に悪い影響を及ぼさない。
【０００９】
その結果、乳幼児の背骨の発育を考慮した、育児器具に載置される育児器具に載置される座席マットを提供できる。
【００１０】
育児器具に載置される育児器具に載置される座席マットの上端部には、枕部が接続されるのが好ましい。
【００１１】
また、サポート部は、該サポート部の表裏面を接続して貫通する、複数の貫通穴を有してもよいし、背骨保持部は、メッシュで形成されてもよい。
【００１２】
この発明の他の局面においては、上下および左右に延在する、育児器具に載置される育児器具に載置される座席マットは、上端部の中央部から下方向の所定の位置までが切り欠かれており、切り欠かれた部分の左右方向および下方向の所定の位置に隣接して、クッション性を有するサポート部が設けられている。
【００１３】
育児器具に載置される育児器具に載置される座席マットの、上端部の中央部から下方向の、乳幼児の背筋があたる部分が切り欠かれ、その周囲がクッション性を有するサポート部で囲われているため、背骨の発育に悪い影響を及ぼさない。
【００１４】
その結果、乳幼児の背骨の発育を考慮した、育児器具に載置される育児器具に載置される座席マットを提供できる。
【発明を実施するための最良の形態】
【００１５】
以下、この発明の一実施の形態を図面を参照して説明する。図１は、この発明の一実施形態にかかる、乳幼児用の使用される育児器具に載置される座席マットを示す平面図であり、図２は、図１においてＩＩ−ＩＩで示す部分の断面図である。図１および図２を参照して、育児器具に載置される座席マット１０は、枕部１１と、枕部１１に接続されたマット２０とを含む。枕部１１は、頭部保持部１２と、頭部を覆うカバー部１３とを含む。マット２０は、枕部１１との接続部を有する上端部２１の中央部から下方向に延在する、所定の硬さを有する背骨保持部２２と、背骨保持部２２の左右および下方向に、背骨保持部２２を囲むように設けられたサポート部２３とを含む。
【００１６】
背骨保持部２２は、乳幼児の背骨にあたる領域を支持するため、クッション性が低いか、または全然無いように形成されている。背骨保持部２２がこのように構成されているため、従来のような柔らかいマットによる背骨の沈み込みを避けることができる。なお、この部分は、体温調節が未熟である乳幼児にとって体温調整が容易にできるように、メッシュで形成されていてもよい。
【００１７】
サポート部２３は、乳幼児の姿勢を保持するために設けられており、図２に示すように、背骨保持部２２に対して隆起しており、背骨保持部２２よりも柔らかいクッション材で構成されている。サポート部２３には、股ベルト通し穴２４が設けられている。また、マット２０に、図示のない、所定の針を通して、表面と裏面とを接続して貫通する貫通穴２５を多数配置し、それによって、通気性を保持するとともに、他の部分を膨張させ、クッション性を高めるのが好ましい。
【００１８】
なお、上記実施の形態においては、枕部１１をマット２０に接続した場合について説明したが、これに限らず、枕部１１が無くてもよい。
【００１９】
次に、この発明の他の実施の形態について説明する。図３は、この発明の他の実施の形態にかかるマットを示す図である。（Ａ）においては、マット３０は、マット２０と基本的に同様の幅を有し、上端部において左右方向の端部まで延在する、Ｔ字型の背骨保持部３２が設けられている。
【００２０】
ここで、この左右方向に延びる部分の幅は、乳幼児の腕の幅をカバーする寸法であればよい。マット３０において、Ｔ字型の背骨保持部３２以外の部分は、サポート部３３であり、先の実施の形態と同様の構成を有する。
【００２１】
（Ｂ）においては、マット４０は、縦方向にマット２０より狭い幅を有し、上端部から下端部まで端部まで延在するとともに、上端部において左右方向端部までＴ字型の背骨保持部４２が設けられている。マット４０において、Ｔ字型の背骨保持部４２以外の部分は、サポート部４３であり、先の実施の形態と同様の構成を有する。
【００２２】
また、図３においては、股ベルト通し穴２４や、貫通穴２５については、省略している。
【００２３】
なお、ここでいう、育児器具とは、たとえば、乳母車、チャイルドシート、ベビーベッド、ベビーラック等を含む。
【００２４】
また、上記実施の形態においては、育児器具に載置される座席マットとして、クッション性が低いか、または全然無いような背骨保持部を、サポート部で囲むように形成した場合について説明したが、これに限らず、この背骨保持部を切り欠いて、この切り欠き部をサポート部で囲むように形成してもよい。この場合も同様の効果を奏する。
【００２５】
上記実施の形態においては、枕をマットの上端部に接続する場合について説明したがこれに限らず、枕をマット上の任意の位置に配置できるようにしてもよい。
【００２６】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００２７】
この発明にかかる、育児器具に載置される座席マットは、乳幼児の背骨にあたる領域を硬くし、それ以外の部分にクッション性を持たせたため、乳幼児の背骨の発育に役立つ育児器具に載置される座席マットとして、有利に利用される。
【図面の簡単な説明】
【００２８】
【図１】この発明の一実施の形態にかかる育児器具に載置される座席マットの平面図である。
【図２】図１においてＩＩ−ＩＩで示す部分の断面図である。
【図３】この発明の他の実施の形態を示す平面図である。
【符号の説明】
【００２９】
１０  育児器具に載置される座席マット、１１  枕部、２０、３０、４０  マット、２１  上端部、２２、３２、４２  背骨保持部、２３、３３、４３  サポート部、２４  股ベルト通し穴、２５  貫通穴。
【図１】
2006020970.tif 000003
【図２】
2006020970.tif 000004
【図３】
2006020970.tif 000005